(57)【要約】  無線通信ネットワークにおける無線ベアラを再開する、ユーザ機器（ＵＥ）において使用するための方法であって、第１のネットワークノードとの無線リソース制御（ＲＲＣ）接続を確立することと、第１のネットワークノードから接続中断メッセージを受信することと、ＲＲＣ接続に関連する無線ベアラの設定を記憶することと、ＲＲＣ接続に関連する無線ベアラを中断することと、接続再開メッセージを受信することと、接続再開メッセージが中断された無線ベアラのためのＮＲパケットデータコンバージェンスプロトコル（ＰＤＣＰ）についての設定情報を含むかどうかを決定することと、接続再開メッセージがＮＲ  ＰＤＣＰについての設定情報を含むと決定すると、設定情報により、中断された無線ベアラを設定することと、中断された無線ベアラを再開することとを含む、方法。【選択図】図９
2020535706.tif 000002
【特許請求の範囲】
【請求項１】
無線通信ネットワークにおける無線ベアラを再開する、ユーザ機器（ＵＥ）において使用するための方法であって、前記方法は、
第１のネットワークノードとの無線リソース制御（ＲＲＣ）接続を確立すること（９１２）と、
前記第１のネットワークノードから接続中断メッセージを受信すること（９１６）と、
前記ＲＲＣ接続に関連する無線ベアラの設定を記憶すること（９１７）と、
前記ＲＲＣ接続に関連する前記無線ベアラを中断すること（９１８）と、
接続再開メッセージを受信すること（９２２）と、
前記接続再開メッセージが前記中断された無線ベアラのためのＮＲパケットデータコンバージェンスプロトコル（ＰＤＣＰ）についての設定情報を含むかどうかを決定すること（９２４）と、
前記接続再開メッセージがＮＲ  ＰＤＣＰについての設定情報を含むと決定すると、前記設定情報により、前記中断された無線ベアラを設定すること（９２５）と、
前記中断された無線ベアラを再開すること（９２６）と
を含む、方法。
【請求項２】
前記確立されたＲＲＣ接続が、ＮＲ  ＰＤＣＰベアラを含む、請求項１に記載の方法。
【請求項３】
前記確立されたＲＲＣ接続が、ｌｏｎｇ  ｔｅｒｍ  ｅｖｏｌｕｔｉｏｎ（ＬＴＥ）ＰＤＣＰベアラを含む、請求項１に記載の方法。
【請求項４】
前記接続再開メッセージが、前記第１のネットワークノードとは異なる第２のネットワークノードから受信される、請求項１から３のいずれか一項に記載の方法。
【請求項５】
前記中断された無線ベアラを設定することが、前記接続再開メッセージ中の前記設定情報と、記憶された設定情報とを使用することを含む、請求項１から４のいずれか一項に記載の方法。
【請求項６】
前記接続再開メッセージ中の前記設定情報が、前記記憶された設定情報よりも優先する、請求項５に記載の方法。
【請求項７】
前記接続再開メッセージ中の前記設定情報が、前記無線ベアラの中断より前に使用されたセキュリティ情報とは異なるセキュリティ情報を含む、請求項１から６のいずれか一項に記載の方法。
【請求項８】
前記セキュリティ情報が、セキュリティ鍵情報またはセキュリティアルゴリズム情報を含む、請求項７に記載の方法。
【請求項９】
前記接続再開メッセージが前記中断された無線ベアラのためのＮＲ  ＰＤＣＰについての設定情報を含まないと決定すると、前記中断された無線ベアラをｌｏｎｇ  ｔｅｒｍ  ｅｖｏｌｕｔｉｏｎ（ＬＴＥ）ＰＤＣＰベアラとして再開すること（９２８）
をさらに含む、請求項１から８のいずれか一項に記載の方法。
【請求項１０】
前記第１のネットワークノードとのシグナリング無線ベアラ１（ＳＲＢ１）ＮＲ  ＰＤＣＰ接続を確立すること（９１４）と、
前記接続中断メッセージを受信すると、前記ＳＲＢ１接続をｌｏｎｇ  ｔｅｒｍ  ｅｖｏｌｕｔｉｏｎ（ＬＴＥ）ＰＤＣＰ接続に変換すること（９２０）と
をさらに含み、
前記接続再開メッセージが、前記ＳＲＢ１接続上で受信される、
請求項１から９のいずれか一項に記載の方法。
【請求項１１】
無線通信ネットワークにおける無線ベアラを再開することが可能なユーザ機器（ＵＥ）（１１０）であって、前記ＵＥは、
第１のネットワークノード（１２０）との無線リソース制御（ＲＲＣ）接続を確立することと、
前記第１のネットワークノードから接続中断メッセージを受信することと、
前記ＲＲＣ接続に関連する無線ベアラの設定を記憶することと、
前記ＲＲＣ接続に関連する前記無線ベアラを中断することと、
接続再開メッセージを受信することと、
前記接続再開メッセージが前記中断された無線ベアラのためのＮＲパケットデータコンバージェンスプロトコル（ＰＤＣＰ）についての設定情報を含むかどうかを決定することと、
前記接続再開メッセージがＮＲ  ＰＤＣＰについての設定情報を含むと決定すると、前記設定情報により、前記中断された無線ベアラを設定することと、
前記中断された無線ベアラを再開することと
を行うように動作可能な処理回路要素（１３２０）を備える、ユーザ機器（ＵＥ）（１１０）。
【請求項１２】
前記確立されたＲＲＣ接続が、ＮＲ  ＰＤＣＰベアラを含む、請求項１１に記載のユーザ機器。
【請求項１３】
前記確立されたＲＲＣ接続が、ｌｏｎｇ  ｔｅｒｍ  ｅｖｏｌｕｔｉｏｎ（ＬＴＥ）ＰＤＣＰベアラを含む、請求項１１に記載のユーザ機器。
【請求項１４】
前記接続再開メッセージが、前記第１のネットワークノードとは異なる第２のネットワークノードから受信される、請求項１１から１３のいずれか一項に記載のユーザ機器。
【請求項１５】
前記処理回路要素が、前記接続再開メッセージ中の前記設定情報と、記憶された設定情報とを使用することによって、前記中断された無線ベアラを設定するように動作可能である、請求項１１から１４のいずれか一項に記載のユーザ機器。
【請求項１６】
前記接続再開メッセージ中の前記設定情報が、前記記憶された設定情報よりも優先する、請求項１５に記載のユーザ機器。
【請求項１７】
前記接続再開メッセージ中の前記設定情報が、前記無線ベアラの中断より前に使用されたセキュリティ情報とは異なるセキュリティ情報を含む、請求項１１から１６のいずれか一項に記載のユーザ機器。
【請求項１８】
前記セキュリティ情報が、セキュリティ鍵情報またはセキュリティアルゴリズム情報を含む、請求項１７に記載のユーザ機器。
【請求項１９】
前記処理回路要素は、前記接続再開メッセージが前記中断された無線ベアラのためのＮＲ  ＰＤＣＰについての設定情報を含まないと決定すると、前記中断された無線ベアラをｌｏｎｇ  ｔｅｒｍ  ｅｖｏｌｕｔｉｏｎ（ＬＴＥ）ＰＤＣＰベアラとして再開するようにさらに動作可能である、請求項１１から１８のいずれか一項に記載のユーザ機器。
【請求項２０】
前記処理回路要素は、
前記第１のネットワークノードとのシグナリング無線ベアラ１（ＳＲＢ１）ＮＲ  ＰＤＣＰ接続を確立することと、
前記接続中断メッセージを受信すると、前記ＳＲＢ１接続をｌｏｎｇ  ｔｅｒｍ  ｅｖｏｌｕｔｉｏｎ（ＬＴＥ）ＰＤＣＰ接続に変換することと
を行うようにさらに動作可能であり、
前記処理回路要素が、前記ＳＲＢ１接続上で前記接続再開メッセージを受信するように動作可能である、
請求項１１から１９のいずれか一項に記載のユーザ機器。
【請求項２１】
無線通信ネットワークにおける無線ベアラを再開する、ネットワークノードにおいて使用するための方法であって、前記方法は、
ユーザ機器（ＵＥ）とともに、無線リソース制御（ＲＲＣ）接続に関連する無線ベアラを再開することを決定すること（１０１８）と、
前記ユーザ機器に接続再開メッセージを送ること（１０２４）であって、前記接続再開メッセージが前記無線ベアラのためのＮＲパケットデータコンバージェンスプロトコル（ＰＤＣＰ）についての設定情報を含む、接続再開メッセージを送ること（１０２４）と
を含む、方法。
【請求項２２】
再開すべき前記無線ベアラについての設定情報が、ＮＲ  ＰＤＣＰ設定情報をあらかじめ含んでいる、請求項２１に記載の方法。
【請求項２３】
再開すべき前記無線ベアラについての設定情報が、ｌｏｎｇ  ｔｅｒｍ  ｅｖｏｌｕｔｉｏｎ（ＬＴＥ）設定情報をあらかじめ含んでいる、請求項２１に記載の方法。
【請求項２４】
前記ＵＥについての能力情報を受信すること（１０２０）と、
前記能力情報に基づいて、前記ＵＥがＮＲ  ＰＤＣＰをサポートすることが可能であると決定すること（１０２２）と
をさらに含む、請求項２３に記載の方法。
【請求項２５】
前記ＵＥとのシグナリング無線ベアラ１（ＳＲＢ１）ＮＲ  ＰＤＣＰ接続を確立すること（１０１２）と、
前記ＵＥに接続中断メッセージを送ること（１０１４）と、
ＮＲ  ＰＤＣＰからｌｏｎｇ  ｔｅｒｍ  ｅｖｏｌｕｔｉｏｎ（ＬＴＥ）ＰＤＣＰに前記ＳＲＢ１を再設定する接続再設定メッセージを前記ＵＥから受信すること（１０１６）と
をさらに含む、請求項２１から２４のいずれか一項に記載の方法。
【請求項２６】
無線通信ネットワークにおける無線ベアラを再開することが可能なネットワークノード（１２０）であって、前記ネットワークノードは、
ユーザ機器（ＵＥ）（１１０）とともに、無線リソース制御（ＲＲＣ）接続に関連する無線ベアラを再開することを決定することと、
前記ユーザ機器に接続再開メッセージを送ることであって、前記接続再開メッセージが前記無線ベアラのためのＮＲパケットデータコンバージェンスプロトコル（ＰＤＣＰ）についての設定情報を含む、接続再開メッセージを送ることと
を行うように動作可能な処理回路要素（１４２０）を備える、ネットワークノード（１２０）。
【請求項２７】
再開すべき前記無線ベアラについての設定情報が、ＮＲ  ＰＤＣＰ設定情報をあらかじめ含んでいる、請求項２６に記載のネットワークノード。
【請求項２８】
再開すべき前記無線ベアラについての設定情報が、ｌｏｎｇ  ｔｅｒｍ  ｅｖｏｌｕｔｉｏｎ（ＬＴＥ）設定情報をあらかじめ含んでいる、請求項２６に記載のネットワークノード。
【請求項２９】
前記処理回路要素は、
前記ＵＥについての能力情報を受信することと、
前記能力情報に基づいて、前記ＵＥがＮＲ  ＰＤＣＰをサポートすることが可能であると決定することと
を行うようにさらに動作可能である、請求項２８に記載のネットワークノード。
【請求項３０】
前記処理回路要素が、
前記ＵＥとのシグナリング無線ベアラ１（ＳＲＢ１）ＮＲ  ＰＤＣＰ接続を確立することと、
前記ＵＥに接続中断メッセージを送ることと、
ＮＲ  ＰＤＣＰからｌｏｎｇ  ｔｅｒｍ  ｅｖｏｌｕｔｉｏｎ（ＬＴＥ）ＰＤＣＰに前記ＳＲＢ１を再設定する接続再設定メッセージを前記ＵＥから受信することと
を行うようにさらに動作可能である、請求項２６から２９のいずれか一項に記載のネットワークノード。
【請求項３１】
無線通信ネットワークにおける無線ベアラを再開することが可能なユーザ機器（ＵＥ）（１１０）であって、前記ＵＥが、設定モジュール（１３５０）と受信モジュール（１３５４）とを備え、
前記設定モジュールが、第１のネットワークノード（１２０）との無線リソース制御（ＲＲＣ）接続を確立するように動作可能であり、
前記受信モジュールが、前記第１のネットワークノードから接続中断メッセージを受信するように動作可能であり、
前記設定モジュールが、
前記ＲＲＣ接続に関連する無線ベアラの設定を記憶することと、
前記ＲＲＣ接続に関連する前記無線ベアラを中断することと
を行うようにさらに動作可能であり、
前記受信モジュールが、接続再開メッセージを受信するようにさらに動作可能であり、
前記設定モジュールは、
前記接続再開メッセージが前記中断された無線ベアラのためのＮＲパケットデータコンバージェンスプロトコル（ＰＤＣＰ）についての設定情報を含むかどうかを決定することと、
前記接続再開メッセージがＮＲ  ＰＤＣＰについての設定情報を含むと決定すると、前記設定情報により、前記中断された無線ベアラを設定することと、
前記中断された無線ベアラを再開することと
を行うようにさらに動作可能である、
ユーザ機器（ＵＥ）（１１０）。
【請求項３２】
無線通信ネットワークにおける無線ベアラを再開することが可能なネットワークノード（１２０）であって、前記ネットワークノードが、設定モジュール（１４５０）と送信モジュール（１４５２）とを備え、
前記設定モジュールが、ユーザ機器（ＵＥ）（１１０）とともに、無線リソース制御（ＲＲＣ）接続に関連する無線ベアラを再開することを決定するように動作可能であり、
前記送信モジュールは、前記ユーザ機器に接続再開メッセージを送ることであって、前記接続再開メッセージが前記無線ベアラのためのＮＲパケットデータコンバージェンスプロトコル（ＰＤＣＰ）についての設定情報を含む、接続再開メッセージを送ることを行うように動作可能である、
ネットワークノード（１２０）。
【発明の詳細な説明】
【技術分野】
【０００１】
特定の実施形態は、無線通信を対象とし、より詳細には、中断された無線リソース制御（ＲＲＣ：ｒａｄｉｏ  ｒｅｓｏｕｒｃｅ  ｃｏｎｔｒｏｌ）接続を再開するときに、新しい無線（ＮＲ）パケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）接続を保持することを対象とする。
【背景技術】
【０００２】
序論
第３世代パートナーシッププロジェクト（３ＧＰＰ）は、新しい無線（ＮＲ）を含む無線通信の第５世代（５Ｇ）を規定する。一般的な無線（ｗｉｒｅｌｅｓｓ）、セルラー、または無線（ｒａｄｉｏ）通信ネットワークにおいて、移動局、端末、および／またはユーザ機器（ＵＥ）としても知られる、無線デバイスが、無線アクセスネットワーク（ＲＡＮ）を介して１つまたは複数のコアネットワークと通信する。ＲＡＮは、セルに分割される地理的エリアをカバーする。各セルは、基地局（たとえば、無線基地局（ＲＢＳ：ｒａｄｉｏ  ｂａｓｅ  ｓｔａｔｉｏｎ）、あるいは、いくつかのネットワークでは、たとえば、「ノードＢ」、「ｅノードＢ」、または「ｅＮＢ」と呼ばれることもあるネットワークノード）によってサーブされる。セルは、アンテナと無線基地局とがコロケートされない場合、基地局サイトまたはアンテナサイトにある無線基地局によって無線カバレッジが与えられる、地理的エリアである。１つの無線基地局は、１つまたは複数のセルをサーブし得る。
【０００３】
エボルブドパケットシステム（ＥＰＳ）のための仕様は３ＧＰＰ内で完成されており、この作業は次の３ＧＰＰリリースにおいて続く。ＥＰＳは、Ｌｏｎｇ  Ｔｅｒｍ  Ｅｖｏｌｕｔｉｏｎ（ＬＴＥ）無線アクセスとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線基地局ノードがＲＮＣではなくＥＰＣコアネットワークに直接接続される３ＧＰＰ無線アクセス技術の変形態である。概して、Ｅ−ＵＴＲＡＮ／ＬＴＥでは、ＲＮＣの機能は、無線基地局ノード（たとえば、ＬＴＥにおけるｅノードＢ）とコアネットワークとの間で分散される。ＥＰＳのＲＡＮは、ＲＮＣへの報告を伴わない無線基地局ノードを備える、基本的に「フラットな」アーキテクチャを有する。
【０００４】
無線リソース制御（ＲＲＣ）は、制御プレーンにおいて使用され得る。制御プレーンの主要な機能は、非アクセス層（ＮＡＳ）ページングとアクセス層（ＡＳ）ページングの両方についてのシステム情報のブロードキャスト、ＲＲＣ接続ハンドリング、ＵＥのための一時識別子の割り当て、ＲＲＣ接続のための（１つまたは複数の）シグナリング無線ベアラ（ｓｉｇｎａｌｉｎｇ  ｒａｄｉｏ  ｂｅａｒｅｒ）の設定、無線ベアラのハンドリング、サービス品質（ＱｏＳ）管理機能、鍵管理を含むセキュリティ機能、（ＵＥ測定報告および報告の制御、ハンドオーバ、ＵＥセル選択および再選択、ならびにセル選択および再選択の制御を含む）モビリティ機能、およびＵＥへの／からのＮＡＳ直接メッセージ転送を含む。
【０００５】
ＵＥのための各無線ベアラについて、１つのパケットデータコンバージェンスプロトコル（ＰＤＣＰ）エンティティが存在する。ＰＤＣＰは、制御プレーン（すなわち、ＲＲＣ）とユーザプレーンの両方のために使用される（すなわち、Ｓトンネリングプロトコル−ユーザトンネリング（ＧＴＰ−Ｕ）シグナリングを介して、ユーザデータが受信される）。制御プレーンの主要な機能は、暗号化／解読および完全性保護である。ユーザプレーンの主要な機能は、暗号化／解読、ロバストヘッダ圧縮（ＲＯＨＣ）を使用したヘッダ圧縮および圧縮解除、ならびに順序配信、重複検出、ならびに再送信を含む。
【０００６】
ＬＴＥは、デュアルコネクティビティ特徴を含む。Ｅ−ＵＴＲＡＮはデュアルコネクティビティ（ＤＣ）動作をサポートし、それにより、ＲＲＣ＿ＣＯＮＮＥＣＴＥＤにあるマルチプルＲｘ／Ｔｘ  ＵＥが、Ｘ２インターフェース上で理想的でないバックホールを介して接続された２つのｅＮＢ中にある２つの別個のスケジューラによって与えられる無線リソースを利用するように設定される（３ＧＰＰ３６．３００参照）。あるＵＥのためのＤＣに関与するｅＮＢは、２つの異なる役割を担うことがあり、すなわち、ｅＮＢがＭＮ（マスタノード）として働くか、またはＳＮ（セカンダリノード）として働くかのいずれかであり得る。ＤＣでは、ＵＥは、１つのＭＮと１つのＳＮとに接続される。
【０００７】
ＬＴＥ  ＤＣでは、特定のベアラが使用する無線プロトコルアーキテクチャは、ベアラがどのようにセットアップされるかに依存する。３つのベアラタイプ、すなわち、ＭＣＧ（マスタセルグループ）ベアラ、ＳＣＧ（セカンダリセルグループ）ベアラおよび分離ベアラ（ｓｐｌｉｔ  ｂｅａｒｅｒ）が存在する。ＲＲＣは、ＭＮ中にあり、ＳＲＢ（シグナリング無線ベアラ）は、常にＭＣＧベアラタイプとして設定され、それゆえ、ＭＮの無線リソースのみを使用する。一例が図１に示されている。
【０００８】
図１は、ＬＴＥデュアルコネクティビティユーザプレーンを示すブロック図である。マスタノードは、ＭＣＧベアラと分離ベアラとを含む。セカンダリノードは、ＳＣＧベアラを含む。
【０００９】
ＬＴＥ  ＮＲも、デュアルコネクティビティを含む。ＬＴＥ−ＮＲ（新しい無線）ＤＣは、ＬＴＥ−ＮＲ緊密インターワーキング（ＬＴＥ−ＮＲ  ｔｉｇｈｔ  ｉｎｔｅｒｗｏｒｋｉｎｇ）と呼ばれることもある。ＬＴＥ  ＤＣからの主要な変更は、（ａ）（ＳＣＧ分離ベアラとして知られる）ＳＮからの分離ベアラの導入、（ｂ）ＲＲＣのための分離ベアラの導入、および（ｃ）（ＳＣＧ  ＳＲＢとも呼ばれる）ＳＮからの直接ＲＲＣの導入である。例が図２および図３に示されている。
【００１０】
図２は、ＬＴＥ−ＮＲ緊密インターワーキングユーザプレーンを示すブロック図である。マスタノードは、ＭＣＧベアラとＭＣＧ分離ベアラとを含む。セカンダリノードは、ＳＣＧベアラとＳＣＧ分離ベアラとを含む。
【００１１】
図３は、ＬＴＥ−ＮＲ緊密インターワーキング制御プレーンを示すブロック図である。図３は、マスタノードとセカンダリノードとユーザ機器との間のプロトコルレイヤ相互作用を示す。
【００１２】
ＬＴＥがマスタノードであり、ＮＲがセカンダリノードである場合、ＳＮは、ＳｇＮＢと呼ばれ（ここで、ｇＮＢはＮＲ基地局である）、ＭＮは、ＭｅＮＢと呼ばれることがある。ＮＲがマスタであり、ＬＴＥがセカンダリノードである他の場合、対応する用語は、ＳｅＮＢおよびＭｇＮＢである。
【００１３】
分離ＲＲＣメッセージは、主に、ダイバーシティを作成するために使用され、送信側は、ＲＲＣメッセージをスケジュールするためにリンクのうちの１つを選定することを決定することができるか、または送信側は、両方のリンクを介するメッセージを重複させることができるかのいずれかである。ダウンリンクでは、ＭＣＧレッグ（ｌｅｇ）またはＳＣＧレッグ間の経路切替えまたは両方の上での重複が、ネットワーク実装に委ねられる。一方、アップリンクの場合、ネットワークは、ＭＣＧレッグ、ＳＣＧレッグまたは両方のレッグを使用するようにＵＥを構成する。「レッグ」および「経路」という用語は、本明細書では互換的に使用される。
【００１４】
異なるデュアルコネクティビティシナリオを識別するために、以下の用語が使用される。ＤＣ：ＬＴＥ  ＤＣ（すなわち、ＭＮとＳＮの両方がＬＴＥを採用する）、ＥＮ−ＤＣ：ＬＴＥがマスタであり、ＮＲがセカンダリであるＬＴＥ−ＮＲデュアルコネクティビティ、ＮＥ−ＤＣ：ＮＲがマスタであり、ＬＴＥがセカンダリであるＬＴＥ−ＮＲデュアルコネクティビティ、ＮＲ−ＤＣ（またはＮＲ−ＮＲ  ＤＣ）：ＭＮとＳＮの両方がＮＲを採用する、およびＭＲ−ＤＣ（マルチＲＡＴ  ＤＣ）：ＭＮおよびＳＮが異なるＲＡＴを採用する場合を説明する総称（ＥＮ−ＤＣおよびＮＥ−ＤＣは、ＭＲ−ＤＣの２つの異なる例示的な事例である）。
【００１５】
ＮＲは、以前はＭＣＧベアラ、ＭＣＧ分離ベアラ、ＳＣＧベアラおよびＳＣＧ分離ベアラと呼ばれたものを以下のようにして調和させる。（ＵＥがスタンドアロンＬＴＥモードで動作しており、ＥＮ−ＤＣがセットアップされていないときでも）すべてのベアラについて、ＮＲ  ＰＤＣＰを使用するようにＵＥを設定することが可能である。ＮＲ  ＰＤＣＰで構成されたすべてのベアラについて、セキュリティ鍵としてＫｅＮＢまたはＳ−ＫｅＮＢのいずれかを使用するようにＵＥを設定することが可能である。ＰＤＣＰレイヤの設定は、ＭＣＧおよびＳＣＧレッグの下位レイヤの設定から分離される。
【００１６】
ＵＥ視点から、（図４中に見られるように）３つの異なるベアラのみ、すなわち、（ａ）ＭＮノードのみの無線を使用するＭＣＧベアラ、（ｂ）ＳＮノードのみの無線を使用するＳＣＧベアラ、および（ｃ）ＭＮとＳＮの両方の無線を使用する分離ベアラがある。
【００１７】
図４は、ユーザ機器の観点からの３つのデュアルコネクティビティベアラを示すブロック図である。ベアラがネットワークにおいてどこで終端されるかは、ＵＥ観点からもはや重要でない（すなわち、ＵＥはただ、各ベアラから設定されている鍵を使用することになる）。ＮＲは、Ｓ−ＫｅＮＢを使用するＳＮノードにおけるＭＣＧベアラ終端と、ＭＮノードにおけるＳＣＧベアラ終端とをサポートする。同様に、ＳＮ終端されたベアラとＭＮ終端されたベアラの両方（すなわち、ＳＮ終端された分離ベアラとＭＮ終端された分離ベアラの両方）を同時にサポートすることが可能である。
【００１８】
ＬＴＥは、ＲＲＣ中断および再開機能性を含む。中断されたＵＥが、ＩＤＬＥとＣＯＮＮＥＣＴＥＤとの間の中間状態にあると見なされ得、ここで、ＵＥ  ＡＳコンテキストは、ＵＥとＲＡＮの両方において保たれ、ＵＥは、ＵＥがコアネットワーク（ＣＮ）観点から被接続（ｃｏｎｎｅｃｔｅｄ）モードにあり、ＲＡＮ観点からＩＤＬＥモードにあるかのように、見られ得る。このモードで動作することの利点は、ＩＤＬＥモードのＵＥ電力節約利点を維持しながら、レガシーＩＤＬＥ−ＣＯＮＮＥＣＴＥＤモード遷移と比較して、ＣＮに向かう低減されたシグナリングと、より速いＣＯＮＮＥＣＴＥＤモードへの遷移とである。ＬＴＥ  ｒｅｌ−１５とＮＲの両方が、（ＬＴＥでは軽度被接続（ｌｉｇｈｔｌｙ  ｃｏｎｎｅｃｔｅｄ）ＵＥ、およびＮＲでは非アクティブモードと呼ばれる）中断／再開機能性の拡張バージョンをサポートし得る。
【００１９】
ＬＴＥでは、ネットワークが、ＵＥを非アクティブ状態に移すことを決定したとき、ｅＮＢは、ｒｒｃ−ｓｕｓｐｅｎｄの解放原因値をもつＲＲＣ接続解放（ＲＲＣＣｏｎｎｅｃｔｉｏｎＲｅｌｅａｓｅ）メッセージをＵＥに送り、ＵＥは、再開ＩＤ（Ｒｅｓｕｍｅ  ＩＤ）をも与えられる。ＵＥは、再開識別情報（ｒｅｓｕｍｅＩｄｅｎｔｉｔｙ）と（現在のＲＲＣ設定、現在のセキュリティコンテキスト、ＲＯＨＣ状態を含むＰＤＣＰ状態、ソースＰＣｅｌｌにおいて使用されたＣ−ＲＮＴＩ、ソースＰＣｅｌｌのセル識別情報（ｃｅｌｌＩｄｅｎｔｉｔｙ）および物理セル識別情報を含む）ＵＥ  ＡＳコンテキストとを記憶し、（ＳＲＢとＤＲＢの両方について）すべてのＲＬＣエンティティを再確立し、ＳＲＢ０を除いてすべてＤＲＢおよびＳＲＢを中断する。一例が図５に示されている。
【００２０】
図５は、ＲＲＣ接続中断プロシージャを示すシーケンス図である。ステップ１において、いくつかのトリガ（たとえば、ＵＥ非アクティビティタイマーの満了）に基づいて、ｅＮＢは、ＲＲＣ接続を中断することを決定する。ステップ２において、ｅＮＢは、ＲＲＣ接続が中断されていることをＭＭＥに知らせるために、Ｓ１−ＡＰ  ＵＥコンテキスト中断プロシージャを始動する。ステップ３において、ＭＭＥは、Ｓ−ＧＷに、ＵＥのためにすべてのＳ１−Ｕベアラを解放するように要求する。ステップ４において、ＭＭＥはステップ２に肯定応答する。ステップ５において、ｅＮＢは、ｒｒｃ−Ｓｕｓｐｅｎｄにセットされた解放原因をもつＲＲＣ接続解放メッセージを送ることによって、ＲＲＣ接続を中断する。このメッセージは、ＵＥによって記憶される再開識別情報を含む。ステップ６において、ＵＥは、ＡＳコンテキストを記憶し、すべてのＳＲＢおよびＤＲＢを中断し、ＵＥは、ＲＲＣ＿ＩＤＬＥ軽度被接続状態に入る。
【００２１】
ＵＥが後で、（送られるべきアップリンクデータまたはダウンリンクデータのためのページング要求に応答して）接続を再開することを希望するとき、ＵＥは、保存された再開識別情報をもつＲＲＣ接続再開要求（ＲＲＣＣｏｎｎｅｃｔｉｏｎＲｅｓｕｍｅＲｅｑｕｅｓｔ）メッセージを送る。ｅＮＢは、ＲＲＣ接続再開（ＲＲＣＣｏｎｎｅｃｔｉｏｎＲｅｓｕｍｅ）メッセージで応答し、ＵＥとｅＮＢの両方が、保存されたＵＥコンテキストを復元し、ＵＥからの／へのデータ送信／受信が再開され得る。
【００２２】
再開動作は、ＵＥが中断されたときにＵＥをサービスしていたｅＮＢ以外のｅＮＢにおいて実施され得る。その場合、新しいｅＮＢは、たとえば、（再開識別情報が、古いｅＮＢ／セルに関する情報を含むので）古いｅＮＢからのＵＥコンテキスト取出しプロシージャを使用することによって、コンテキストフェッチを実施することができる。例が図６および図７に示されている。
【００２３】
図６は、同じｅＮＢにおけるＲＲＣ接続再開プロシージャを示すシーケンス図である。ステップ１において、ある後の時点において（たとえば、ＵＥがページングされているとき、または新しいデータがアップリンクバッファに到着したとき）、ＵＥは、ｅＮＢにＲＲＣ接続再開要求を送ることによって、接続を再開する。ＵＥは、その再開ＩＤ、確立原因、および認証トークンを含める。認証トークンは、ＲＲＣ接続再確立中で使用される短いＭＡＣ−Ｉと同じやり方で計算され、ｅＮＢがＵＥ識別情報を検証することを可能にする。
【００２４】
ステップ２において、再開ＩＤが存在し、認証トークンが正常に検証されたとすれば、ｅＮＢは、ＲＲＣ接続再開で応答する。このメッセージは、ＡＳセキュリティを再確立するために必要とされるネクストホップチェイニングカウント（ＮＣＣ：Ｎｅｘｔ  Ｈｏｐ  Ｃｈａｉｎｉｎｇ  Ｃｏｕｎｔ）値を含む。
【００２５】
ステップ３において、ＵＥは、すべてのＳＲＢおよびＤＲＢを再開し、ＡＳセキュリティを再確立する。ＵＥは、現在、ＲＲＣ＿ＣＯＮＮＥＣＴＥＤにある。ステップ４において、ＵＥは、ＲＲＣ接続が正常に再開されたことを確認するＲＲＣ接続再開完了（ＲＲＣＣｏｎｎｅｃｔｉｏｎＲｅｓｕｍｅＣｏｍｐｌｅｔｅ）で応答する。ステップ５において、ｅＮＢは、ＵＥ状態変更に関してＭＭＥに通知するために、Ｓ１−ＡＰコンテキスト再開プロシージャを始動する。ステップ６において、ＭＭＥは、Ｓ−ＧＷに、ＵＥのためにＳ１−Ｕベアラをアクティブ化するように要求する。ステップ７において、ＭＭＥはステップ５に肯定応答する。
【００２６】
図７は、新しいｅＮＢにおけるＲＲＣ接続再開プロシージャを示すシーケンス図である。ステップ１は、図６中のステップ１と同じである。ステップ２において、新しいｅＮＢは、再開ＩＤを使用して古いｅＮＢの位置を特定し、Ｘ２−ＡＰ  ＵＥコンテキスト取出しプロシージャによってＵＥコンテキストを取り出す。ステップ３において、古いｅＮＢは、再開ＩＤに関連するＵＥコンテキストで応答する。
【００２７】
ステップ４〜６は、それぞれ、図６中のステップ２〜４と同じである。ステップ７において、新しいｅＮＢは、サービングＭＭＥへのＳ１  ＵＥ関連シグナリング接続を確立し、ＭＭＥにＵＥコンテキストを再開するように要求するために、Ｓ１−ＡＰ経路切替えプロシージャを始動する。
【００２８】
ステップ８において、ＭＭＥは、Ｓ−ＧＷに、ＵＥのためにＳ１−Ｕベアラをアクティブ化し、ダウンリンク経路を更新するように要求する。ステップ９において、ＭＭＥはステップ７に肯定応答する。ステップ１０において、Ｓ１−ＡＰ経路切替えプロシージャの後に、新しいｅＮＢは、Ｘ２−ＡＰ  ＵＥコンテキスト解放プロシージャによって、古いｅＮＢにおけるＵＥコンテキストの解放をトリガする。
【００２９】
特定の問題は、既存のＲＲＣメッセージが、上記で説明されたすべてのシナリオを正確にハンドリングすることができるとは限らないことである。ＲＲＣ接続再開メッセージおよびその中に含まれる随意のＲａｄｉｏＲｅｓｏｕｒｃｅＣｏｎｆｉｇＤｅｄｉｃａｔｅｄ  ＩＥのコンテンツは、以下のとおりである。
2020535706.tif 000003
2020535706.tif 000004
2020535706.tif 000005
【００３０】
上記でわかるように、ＲａｄｉｏＲｅｓｏｕｒｃｅＣｏｎｆｉｇＤｅｄｉｃａｔｅｄ  ＩＥ中に含まれ得るＤＲＢ−ＴｏＡｄｄＭｏｄ  ＩＥは、ベアラのためのＬＴＥ  ＰＤＣＰ設定を含んでいる。
【００３１】
ＵＥが中断されたとき、ベアラのうちのいくつかが、ＮＲ  ＰＤＣＰを使用していたと仮定する。これは、ＵＥがＥＮ−ＤＣモードで動作していたか、または、ＵＥがスタンドアロンＬＴＥモードにあったことさえあり得るからであり得る。ＮＲは、ＵＥがＮＲ対応である限り、ＵＥがＥＮ−ＤＣにあることなしに、ＮＲ  ＰＤＣＰの設定を可能にし得る。そのようなＵＥが、上記で表されたＲＲＣ再開メッセージを受信することによって再開されたとき、利用可能である唯一のＰＤＣＰ設定が、ＬＴＥ  ｐｄｃｐ−ｃｏｎｆｉｇ  ＩＥであるので、再開されているベアラは、ＬＴＥ  ＰＤＣＰを使用しなければならないことになる。また、ＳＲＢ−Ｔｏ−ＡｄｄＭｏｄ中にｐｄｃｐ−ｃｏｎｆｉｇが含まれないので、ＳＲＢは、ＳＲＢが中断の前にＮＲ  ＰＤＣＰを使用していた場合、ＮＲ  ＰＤＣＰで再開されないことになる。
【００３２】
したがって、特定の問題は、レガシーＬＴＥの場合のようにＲＲＣ再開を適用することが、再開時に、すべての中断されたベアラのＰＤＣＰタイプの、ＬＴＥ  ＰＤＣＰへの暗黙的変換を生じるということである。
【００３３】
したがって、ＰＤＣＰをＮＲ  ＰＤＣＰに変更するために追加の再設定が必要とされる。これは、ＬＴＥからＮＲにＰＤＣＰバージョンを変換するために必要とされ得るＰＤＣＰ／ＲＬＣ再確立および場合によってはＲＬＣ／ＭＡＣリセットにより、不要な途絶を生じる。再設定は、進行中のトラフィックを途絶し得、これは、ＴＣＰウィンドウをランプアップするためにより長い時間がかかることを意味し得る。
【００３４】
また、ＮＲ  ＰＤＣＰを使用することの利点の１つは、スタンドアロンＬＴＥの場合でさえ、追加のＣＮシグナリングなしでＥＮ−ＤＣへの将来の遷移が実施され得るように、関係するベアラの終端点をＭＮまたはＳＮのいずれかにおいて（ＵＥに対して透過的に）セットアップする可能性である。ＬＴＥ  ＰＤＣＰへのすべてのベアラの変換に伴って、これらのベアラの終端点は、（ＭＮから始まることになっていなかった場合）ＭＮに変更されなければならず、それによって不要なＣＮシグナリングを引き起こす。
【００３５】
さらに、ＵＥが、最初はＮＲモードをサポートするｅＮＢ中にあり、中断され、ＮＲモードをサポートしないｅＮＢにおいて再開された場合、エラーケースが発生し得る。これは、ＤＲＢ−ＴｏＡｄｄＭｏｄ中に含まれるべきｐｄｃｐ−ｃｏｎｆｉｇは随意であり、したがって、ネットワークが再開時にＵＥの設定を変更することを希望しない場合、それが随意のフィールドを含まないことがあるからである。すなわち、ＵＥは結局ＮＲ  ＰＤＣＰバージョンで再開し得、サービングｅＮＢはＮＲ  ＰＤＣＰを理解しない。したがって、再開の後または再開中でさえ、通信がおそらく、ＵＥとｅＮＢとの間で可能でない。
【発明の概要】
【００３６】
本明細書で説明される実施形態は、ユーザ機器の（ＵＥの）ベアラが、新しい無線（ＮＲ）パケットデータコンバージェンスプロトコル（ＰＤＣＰ）バージョンを使用していた場合でも、再開時にロングタームエボリューション（ＬＴＥ）ＰＤＣＰを使用するために、ユーザ機器の（ＵＥの）ベアラのすべての暗黙的変換を生じるという、現在のＬＴＥ再開／中断プロシージャの特定の問題を解決する。
【００３７】
いくつかの実施形態によれば、無線通信ネットワークにおける無線ベアラを再開する、ユーザ機器（ＵＥ）において使用するための方法が、第１のネットワークノードとの無線リソース制御（ＲＲＣ）接続を確立することと、第１のネットワークノードから接続中断メッセージを受信することと、ＲＲＣ接続に関連する無線ベアラの設定を記憶することと、ＲＲＣ接続に関連する無線ベアラを中断することと、接続再開メッセージを受信することと、接続再開メッセージが中断された無線ベアラのためのＮＲ  ＰＤＣＰについての設定情報を含むかどうかを決定することと、接続再開メッセージがＮＲ  ＰＤＣＰについての設定情報を含むと決定すると、設定情報により、中断された無線ベアラを設定することと、中断された無線ベアラを再開することとを含む。
【００３８】
特定の実施形態では、確立されたＲＲＣ接続は、ＮＲ  ＰＤＣＰベアラまたはＬＴＥ  ＰＤＣＰベアラを含む。接続再開メッセージは、第１のネットワークノードとは異なる第２のネットワークノードから受信され得る。
【００３９】
特定の実施形態では、中断された無線ベアラを設定することが、接続再開メッセージ中の設定情報と、記憶された設定情報とを使用することを含む。接続再開メッセージ中の設定情報は、記憶された設定情報よりも優先し得る。接続再開メッセージ中の設定情報は、無線ベアラの中断より前に使用されたセキュリティ情報とは異なるセキュリティ情報を含み得る。
【００４０】
特定の実施形態では、本方法は、接続再開メッセージが中断された無線ベアラのためのＮＲ  ＰＤＣＰについての設定情報を含まないと決定すると、中断された無線ベアラをＬＴＥ  ＰＤＣＰベアラとして再開することをさらに含む。本方法は、第１のネットワークノードとのシグナリング無線ベアラ１（ＳＲＢ１）ＮＲ  ＰＤＣＰ接続を確立することと、接続中断メッセージを受信すると、ＳＲＢ１接続をＬＴＥ  ＰＤＣＰ接続に変換すること（９２０）とをさらに含み得る。接続再開メッセージは、ＳＲＢ１接続上で受信される。
【００４１】
いくつかの実施形態によれば、ＵＥが、無線通信ネットワークにおける無線ベアラを再開することが可能である。ＵＥは、第１のネットワークノードとのＲＲＣ接続を確立することと、第１のネットワークノードから接続中断メッセージを受信することと、ＲＲＣ接続に関連する無線ベアラの設定を記憶することと、ＲＲＣ接続に関連する無線ベアラを中断することと、接続再開メッセージを受信することと、接続再開メッセージが中断された無線ベアラのためのＮＲ  ＰＤＣＰについての設定情報を含むかどうかを決定することと、接続再開メッセージがＮＲ  ＰＤＣＰについての設定情報を含むと決定すると、設定情報により、中断された無線ベアラを設定することと、中断された無線ベアラを再開することとを行うように動作可能な処理回路要素を備える。
【００４２】
特定の実施形態では、確立されたＲＲＣ接続は、ＮＲ  ＰＤＣＰベアラまたはＬＴＥ  ＰＤＣＰベアラを含む。接続再開メッセージは、第１のネットワークノードとは異なる第２のネットワークノードから受信され得る。
【００４３】
特定の実施形態では、処理回路要素は、接続再開メッセージ中の設定情報と、記憶された設定情報とを使用することによって、中断された無線ベアラを設定するように動作可能である。接続再開メッセージ中の設定情報は、記憶された設定情報よりも優先し得る。接続再開メッセージ中の設定情報は、無線ベアラの中断より前に使用されたセキュリティ情報とは異なるセキュリティ情報を含み得る。
【００４４】
特定の実施形態では、処理回路要素は、接続再開メッセージが中断された無線ベアラのためのＮＲ  ＰＤＣＰについての設定情報を含まないと決定すると、中断された無線ベアラをＬＴＥ  ＰＤＣＰベアラとして再開するようにさらに動作可能である。処理回路要素は、第１のネットワークノードとのＳＲＢ１  ＮＲ  ＰＤＣＰ接続を確立することと、接続中断メッセージを受信すると、ＳＲＢ１接続をＬＴＥ  ＰＤＣＰ接続に変換することとを行うようにさらに動作可能であり得る。処理回路要素は、ＳＲＢ１接続上で接続再開メッセージを受信するように動作可能である。
【００４５】
いくつかの実施形態によれば、無線通信ネットワークにおける無線ベアラを再開する、ネットワークノードにおいて使用するための方法が、ＵＥとともに、ＲＲＣ接続に関連する無線ベアラを再開することを決定することと、ユーザ機器に接続再開メッセージを送ることとを含む。接続再開メッセージは、無線ベアラのためのＮＲ  ＰＤＣＰについての設定情報を含む。
【００４６】
特定の実施形態では、再開すべき無線ベアラについての設定情報が、ＮＲ  ＰＤＣＰ設定情報またはＬＴＥ設定情報をあらかじめ含んでいた。
【００４７】
特定の実施形態では、本方法は、ＵＥについての能力情報を受信することと、能力情報に基づいて、ＵＥがＮＲ  ＰＤＣＰをサポートすることが可能であると決定することとをさらに含む。本方法は、ＵＥとのＳＲＢ１  ＮＲ  ＰＤＣＰ接続を確立することと、ＵＥに接続中断メッセージを送ることと、ＮＲ  ＰＤＣＰからＬＴＥ  ＰＤＣＰにＳＲＢ１を再設定する接続再設定メッセージをＵＥから受信することとをさらに含み得る。
【００４８】
いくつかの実施形態によれば、ネットワークノードが、無線通信ネットワークにおける無線ベアラを再開することが可能である。ネットワークノードは、ＵＥとともに、ＲＲＣ接続に関連する無線ベアラを再開することを決定することと、ユーザ機器に接続再開メッセージを送ることとを行うように動作可能な処理回路要素を備える。接続再開メッセージは、無線ベアラのためのＮＲ  ＰＤＣＰについての設定情報を含む。
【００４９】
特定の実施形態では、再開すべき無線ベアラについての設定情報が、ＮＲ  ＰＤＣＰ設定情報またはＬＴＥ設定情報をあらかじめ含んでいた。
【００５０】
特定の実施形態では、処理回路要素は、ＵＥについての能力情報を受信することと、能力情報に基づいて、ＵＥがＮＲ  ＰＤＣＰをサポートすることが可能であると決定することとを行うようにさらに動作可能である。処理回路要素は、ＵＥとのＳＲＢ１  ＮＲ  ＰＤＣＰ接続を確立することと、ＵＥに接続中断メッセージを送ることと、ＮＲ  ＰＤＣＰからＬＴＥ  ＰＤＣＰにＳＲＢ１を再設定する接続再設定メッセージをＵＥから受信することとを行うようにさらに動作可能であり得る。
【００５１】
いくつかの実施形態によれば、ＵＥが、無線通信ネットワークにおける無線ベアラを再開することが可能である。ＵＥは、設定モジュールと受信モジュールとを備える。設定モジュールは、第１のネットワークノードとのＲＲＣ接続を確立するように動作可能である。受信モジュールは、第１のネットワークノードから接続中断メッセージを受信するように動作可能である。設定モジュールは、ＲＲＣ接続に関連する無線ベアラの設定を記憶することと、ＲＲＣ接続に関連する無線ベアラを中断することとを行うようにさらに動作可能である。受信モジュールは、接続再開メッセージを受信するようにさらに動作可能である。設定モジュールは、接続再開メッセージが中断された無線ベアラのためのＮＲ  ＰＤＣＰについての設定情報を含むかどうかを決定するようにさらに動作可能である。接続再開メッセージがＮＲ  ＰＤＣＰについての設定情報を含むと決定すると、設定情報により、中断された無線ベアラを設定し、中断された無線ベアラを再開する。
【００５２】
いくつかの実施形態によれば、ネットワークノードが、無線通信ネットワークにおける無線ベアラを再開することが可能である。ネットワークノードは、設定モジュールと送信モジュールとを備える。設定モジュールは、ＵＥとともに、ＲＲＣ接続に関連する無線ベアラを再開することを決定するように動作可能である。送信モジュールは、ユーザ機器に接続再開メッセージを送るように動作可能である。接続再開メッセージは、無線ベアラのためのＮＲ  ＰＤＣＰについての設定情報を含む。
【００５３】
コンピュータプログラム製品も開示される。コンピュータプログラム製品は、プロセッサによって実行されたとき、第１のネットワークノードとの無線リソース制御（ＲＲＣ）接続を確立するステップと、第１のネットワークノードから接続中断メッセージを受信するステップと、ＲＲＣ接続に関連する無線ベアラの設定を記憶するステップと、ＲＲＣ接続に関連する無線ベアラを中断するステップと、接続再開メッセージを受信するステップと、接続再開メッセージが中断された無線ベアラのためのＮＲ  ＰＤＣＰについての設定情報を含むかどうかを決定するステップと、接続再開メッセージがＮＲ  ＰＤＣＰについての設定情報を含むと決定すると、設定情報により、中断された無線ベアラを設定するステップと、中断された無線ベアラを再開するステップとを実施する、非一時的コンピュータ可読媒体に記憶された命令を備える。
【００５４】
別のコンピュータプログラム製品が、プロセッサによって実行されたとき、ＵＥとともに、ＲＲＣ接続に関連する無線ベアラを再開することを決定するステップと、ユーザ機器に接続再開メッセージを送るステップとを実施する、非一時的コンピュータ可読媒体に記憶された命令を備える。接続再開メッセージは、無線ベアラのためのＮＲ  ＰＤＣＰについての設定情報を含む。
【００５５】
本開示のいくつかの実施形態は、１つまたは複数の技術的利点を与え得る。たとえば、いくつかの実施形態は、中断の前に使用されていたＰＤＣＰバージョンを保持しながら、ＵＥの関連のあるすべてのベアラを中断および再開し得、それによって、ＵＥのベアラとそのＵＥのための対応するネットワーク設定とを、それらがＵＥの中断の前にあった同じ設定にさせるために、再設定またはコアネットワークシグナリングをさらに行う必要をなくす。再設定をなくすことは、アップリンクおよびダウンリンクユーザデータが流れることを継続することができ、伝送制御プロトコル（ＴＣＰ）のようなプロトコルが、リンク利用を増加させるＴＣＰウィンドウのランプの速度を上げることを可能にするという点で、著しい性能利点を有する。他の利点は、当業者にとって容易に利用可能であり得る。いくつかの実施形態は、具陳された利点のいずれをも有しないか、いくつかを有するか、またはすべてを有し得る。
【００５６】
実施形態ならびにそれらの特徴および利点のより完全な理解のために、次に、添付の図面とともに、以下の説明が参照される。
【図面の簡単な説明】
【００５７】
【図１】ＬＴＥデュアルコネクティビティユーザプレーンを示すブロック図である。
【図２】ＬＴＥ−ＮＲ緊密インターワーキングユーザプレーンを示すブロック図である。
【図３】ＬＴＥ−ＮＲ緊密インターワーキング制御プレーンを示すブロック図である。
【図４】ユーザ機器の観点からの３つのデュアルコネクティビティベアラを示すブロック図である。
【図５】ＲＲＣ接続中断プロシージャを示すシーケンス図である。
【図６】同じｅＮＢにおけるＲＲＣ接続再開プロシージャを示すシーケンス図である。
【図７】新しいｅＮＢにおけるＲＲＣ接続再開プロシージャを示すシーケンス図である。
【図８】特定の実施形態による、例示的な無線ネットワークを示すブロック図である。
【図９】特定の実施形態による、無線デバイスにおける例示的な方法を示す流れ図である。
【図１０】特定の実施形態による、ネットワークノードにおける例示的な方法を示す流れ図である。
【図１１Ａ】無線デバイスの例示的な実施形態を示すブロック図である。
【図１１Ｂ】無線デバイスの例示的な構成要素を示すブロック図である。
【図１２Ａ】ネットワークノードの例示的な実施形態を示すブロック図である。
【図１２Ｂ】ネットワークノードの例示的な構成要素を示すブロック図である。
【発明を実施するための形態】
【００５８】
第３世代パートナーシッププロジェクト（３ＧＰＰ）は、新しい無線（ＮＲ）を含む無線通信の第５世代（５Ｇ）を規定する。ＮＲは、ｌｏｎｇ  ｔｅｒｍ  ｅｖｏｌｕｔｉｏｎ（ＬＴＥ）と同様に、デュアルコネクティビティを含む。ＬＴＥおよびＮＲは、無線リソース制御（ＲＲＣ）中断および再開機能性をも含む。特定の問題は、ＬＴＥ  ＲＲＣメッセージが、ＮＲにおけるパケットデータコンバージェンスプロトコル（ＰＤＣＰ）接続に関して、ＮＲ  ＲＲＣ中断および再開のためのすべてのシナリオを正確にハンドリングすることができるとは限らないことである。
【００５９】
本明細書で説明される特定の実施形態は、上記で説明された問題を取り除き、ＵＥが中断の前にＮＲ  ＰＤＣＰを使用していた場合、再開時にＬＴＥ  ＰＤＣＰを使用するために、ユーザ機器の（ＵＥの）ベアラのすべての暗黙的変換を妨げるプロシージャを含む。いくつかの実施形態は、中断の前に使用されていたＰＤＣＰバージョンを保持しながら、ＵＥの関連のあるすべてのベアラを中断および再開し得、それによって、ＵＥのベアラとそのＵＥのための対応するネットワーク設定とを、それらがＵＥの中断の前にあった同じ設定にさせるために、再設定またはコアネットワークシグナリングをさらに行う必要をなくす。再設定をなくすことは、アップリンクおよびダウンリンクユーザデータが流れることを継続することができ、ＴＣＰのようなプロトコルが、リンク利用を増加させるＴＣＰウィンドウのランプの速度を上げることを可能にするという点で、著しい性能利点を有する。
【００６０】
以下の説明は、多数の具体的な詳細を記載する。ただし、実施形態は、これらの具体的な詳細なしに実施され得ることを理解されたい。他の事例では、よく知られている回路、構造および技法は、この説明の理解を不明瞭にしないために詳細に示されていない。当業者は、含まれた説明を用いて、過度の実験なしに適切な機能性を実装することが可能になる。
【００６１】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを指示するが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００６２】
特定の実施形態が、図面の図８〜図１２Ｂを参照しながら説明され、同様の数字が、様々な図面の同様の部分および対応する部分のために使用されている。例示的なセルラーシステムとして本開示全体にわたってＬＴＥおよびＮＲが使用されるが、本明細書で提示される発想は、同様に他の無線通信システムに適用され得る。
【００６３】
図８は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を与えることができる任意の他のデバイスなどの）１つまたは複数の無線デバイス１１０と、（基地局またはｅノードＢなどの）複数のネットワークノード１２０とを含む。無線デバイス１１０はＵＥと呼ばれることもある。ネットワークノード１２０は、（セル１１５とも呼ばれる）カバレッジエリア１１５をサーブする。
【００６４】
概して、ネットワークノード１２０のカバレッジ内（たとえば、ネットワークノード１２０によってサーブされるセル１１５内）にある無線デバイス１１０は、無線信号１３０を送信および受信することによって、ネットワークノード１２０と通信する。たとえば、無線デバイス１１０およびネットワークノード１２０は、ボイストラフィック、データトラフィック、および／または制御信号を含んでいる無線信号１３０を通信し得る。ボイストラフィック、データトラフィック、および／または制御信号を無線デバイス１１０に通信するネットワークノード１２０は、無線デバイス１１０のためのサービングネットワークノード１２０と呼ばれることがある。無線デバイス１１０とネットワークノード１２０との間の通信は、セルラー通信と呼ばれることがある。無線信号１３０は、（ネットワークノード１２０から無線デバイス１１０への）ダウンリンク送信と（無線デバイス１１０からネットワークノード１２０への）アップリンク送信の両方を含み得る。
【００６５】
各ネットワークノード１２０は、信号１３０を無線デバイス１１０に送信するための単一の送信機または複数の送信機を有し得る。いくつかの実施形態では、ネットワークノード１２０は、多入力多出力（ＭＩＭＯ）システムを備え得る。無線信号１３０は１つまたは複数のビームを含み得る。特定のビームが、特定の方向でビームフォーミングされ得る。各無線デバイス１１０は、ネットワークノード１２０または他の無線デバイス１１０から信号１３０を受信するための単一の受信機または複数の受信機を有し得る。無線デバイス１１０は、無線信号１３０を備える１つまたは複数のビームを受信し得る。
【００６６】
無線信号１３０は、時間周波数リソース上で送信され得る。時間周波数リソースは、無線フレーム、サブフレーム、スロット、および／またはミニスロットに区分され得る。ネットワークノード１２０は、アップリンク、ダウンリンク、またはアップリンクとダウンリンクの組合せとしてサブフレーム／スロット／ミニスロットを動的にスケジュールし得る。異なる無線信号１３０は、異なる送信処理時間を備え得る。
【００６７】
ネットワークノード１２０は、ＬＴＥスペクトルなど、ライセンス済み周波数スペクトルにおいて動作し得る。ネットワークノード１２０は、５ＧＨｚ  Ｗｉ−Ｆｉスペクトルなど、未ライセンス周波数スペクトルにおいても動作し得る。未ライセンス周波数スペクトルにおいて、ネットワークノード１２０は、ＩＥＥＥ８０２．１１アクセスポイントおよび端末などの他のデバイスと共存し得る。未ライセンススペクトルを共有するために、ネットワークノード１２０は、無線信号１３０を送信または受信する前にＬＢＴプロトコルを実施し得る。無線デバイス１１０は、同じくライセンス済みスペクトルまたは未ライセンススペクトルの一方または両方において動作し得、いくつかの実施形態では、無線信号１３０を送信する前に同じくＬＢＴプロトコルを実施し得る。ネットワークノード１２０と無線デバイス１１０の両方が、ライセンス済み共有スペクトルにおいても動作し得る。
【００６８】
たとえば、ネットワークノード１２０ａは、ライセンス済みスペクトルにおいて動作し得、ネットワークノード１２０ｂは、未ライセンススペクトルにおいて動作し得る。無線デバイス１１０は、ライセンス済みスペクトルと未ライセンススペクトルの両方において動作し得る。特定の実施形態では、ネットワークノード１２０ａおよび１２０ｂは、ライセンス済みスペクトル、未ライセンススペクトル、ライセンス済み共有スペクトル、または任意の組合せにおいて動作するように設定可能であり得る。セル１１５ｂのカバレッジエリアは、セル１１５ａのカバレッジエリア中に含まれるように示されているが、特定の実施形態では、セル１１５ａのカバレッジエリアとセル１１５ｂのカバレッジエリアとは、部分的に重なることもまったく重ならないこともある。
【００６９】
特定の実施形態では、無線デバイス１１０およびネットワークノード１２０は、キャリアアグリゲーションを実施し得る。たとえば、ネットワークノード１２０ａは、ＰＣｅｌｌとして無線デバイス１１０をサーブし得、ネットワークノード１２０ｂは、ＳＣｅｌｌとして無線デバイス１１０をサーブし得る。ネットワークノード１２０は、自己スケジューリングまたはクロススケジューリングを実施し得る。ネットワークノード１２０ａがライセンス済みスペクトルにおいて動作しており、ネットワークノード１２０ｂが未ライセンススペクトルにおいて動作している場合、ネットワークノード１２０ａは、未ライセンススペクトルにライセンス支援型アクセスを与え得る（すなわち、ネットワークノード１２０ａはＬＡＡ  ＰＣｅｌｌであり、ネットワークノード１２０ｂはＬＡＡ  ＳＣｅｌｌである）。
【００７０】
特定の実施形態では、無線デバイス１１０は、ネットワークノード１２０とのＲＲＣおよびＰＤＣＰ接続を有し得る。無線デバイス１１０およびネットワークノード１２０は、デュアルコネクティビティを実施し得る。たとえば、無線デバイス１１０は、図１〜図７のいずれかに関して説明されるようにネットワークノード１２０ａとネットワークノード１２０ｂの両方に接続し得る。無線デバイス１１０およびネットワークノード１２０は、ＰＤＣＰ接続を中断および再開し得る。ＰＤＣＰ接続は、ＬＴＥ  ＰＤＣＰ接続またはＮＲ  ＰＤＣＰ接続であり得る。特定の例が、たとえば、図９〜図１２Ｂに関して以下でより詳細に説明される。
【００７１】
無線ネットワーク１００では、各ネットワークノード１２０は、ｌｏｎｇ  ｔｅｒｍ  ｅｖｏｌｕｔｉｏｎ（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲は、それらの例に限定されず、他の実施形態は、異なる無線アクセス技術を使用することができる。
【００７２】
上記で説明されたように、無線ネットワークの実施形態は、１つまたは複数の無線デバイスと、無線デバイスと通信することが可能な１つまたは複数の異なるタイプの無線ネットワークノードとを含み得る。無線ネットワークは、無線デバイス間の通信、または無線デバイスと（固定電話などの）別の通信デバイスとの間の通信をサポートするのに好適な任意の追加のエレメントをも含み得る。無線デバイスは、ハードウェアおよび／またはソフトウェアの任意の好適な組合せを含み得る。たとえば、特定の実施形態では、無線デバイス１１０など、無線デバイスは、以下で図１１Ａに関して説明される構成要素を含み得る。同様に、ネットワークノードは、ハードウェアおよび／またはソフトウェアの任意の好適な組合せを含み得る。たとえば、特定の実施形態では、ネットワークノード１２０など、ネットワークノードは、以下で図１２Ａに関して説明される構成要素を含み得る。
【００７３】
特定の実施形態では、再開時にベアラの中断前状態へのベアラの再開を達成するために、ＮＲ  ＰＤＣＰバージョンを用いて再開することになるベアラについてのＮＲ  ＰＤＣＰ設定を含んでいる情報エレメントが、ＬＴＥ  ＲＲＣ再開メッセージ中に含まれる。
【００７４】
いくつかの実施形態では、ＵＥは、ＵＥがＲＲＣ被接続状態を出た後でも、ＵＥがＲＲＣ被接続にあったときに使用されたＮＲ  ＰＤＣＰ設定を保つことになる。ＵＥがＲＲＣ被接続を再開する（ＲＲＣ被接続状態に入る）とき、ネットワークは、ＵＥがＮＲ  ＰＤＣＰ設定を再開するべきであることをＵＥに指示する。ネットワークは、ＮＲ  ＰＤＣＰ設定の何らかのパラメータが修正されるべきであるかどうかをも指示し得る。
【００７５】
さらに、いくつかの実施形態では、ＮＲ  ＰＤＣＰ設定は、中断の前に使用されたものとは異なるセキュリティ鍵および／またはセキュリティアルゴリズムを使用して再開され得る。使用されるべきセキュリティ鍵は、前の鍵と、ネットワークによって与えられる他のパラメータ、たとえば、ネクストホップチェイニングカウンタ（ＮＣＣ）とに基づいて、ＵＥにおいて導出され得る。
【００７６】
本発明の別の実施形態では、ＵＥのベアラの一部または全部についてＮＲ  ＰＤＣＰを使用するＵＥが、中断され、後で、ＮＲをサポートしないｅＮＢにおいて再開される場合、ＲＲＣ再開メッセージは、ＮＲ  ＰＤＣＰ設定を含んでいないことになり、したがって、すべてのベアラは、ＬＴＥ  ＰＤＣＰバージョンにおいて再開することになる。
【００７７】
いくつかの実施形態では、ＵＥのベアラのすべてについてＬＴＥ  ＰＤＣＰを使用するＵＥが、中断され、後で、異なるｅＮＢにおいて再開される場合、ＵＥは、そのｅＮＢがＮＲをサポートするかどうかを（たとえば、ｅＮＢのブロードキャスト情報を調べることによって）チェックし、ｅＮＢがＮＲをサポートする場合、ＵＥは、ＵＥにＮＲ  ＰＤＣＰが設定されることを希望することを表明する指示を、再開メッセージ中に含める。次いで、ターゲットｅＮＢは、ターゲットｅＮＢがＵＥに送るＲＲＣ再開メッセージ中にＮＲ  ＰＤＣＰ設定を含めることによって、これに応答し、したがって、ベアラの一部または全部がＮＲ  ＰＤＣＰを用いて再開され得る。
【００７８】
特定の実施形態では、ＵＥが、ＮＲ  ＰＤＣＰをサポートするｅＮＢによってサーブされ、ＵＥのベアラの全部または一部についてＮＲ  ＰＤＣＰを使用することが中断されたとき、ｅＮＢは、ＵＥが、ＮＲ  ＰＤＣＰをサポートし得ないｅＮＢにおいて再開され得ることを確認するために、セキュリティパラメータ（たとえば暗号化アルゴリズム）およびシーケンス番号長などのプロトコルパラメータ／設定がＬＴＥ  ＰＤＣＰにおいても再利用され得ることを確認する。ＵＥのＮＲ  ＰＤＣＰによって現在使用される設定が、ＬＴＥ  ＰＤＣＰに適合しなかった場合、ＵＥが中断される前に設定を適合値に変更するために、再設定がＵＥに送られる。この再設定は、個別のＲＲＣ再設定メッセージであり得、または、ＲＲＣ中断コマンドは、含まれるＲＲＣ再設定に拡張される。
【００７９】
本発明の一実施形態では、ＵＥが異なるｅＮＢにおいて再開し、ターゲットｅＮＢがＮＲ  ＰＤＣＰをサポートしないとき、ターゲットｅＮＢは、すべてのベアラがＬＴＥ  ＰＤＣＰバージョンを用いて再開されることになることを確実にするために、ＬＴＥ  ＰＤＣＰ設定（ｃｏｎｆｉｇ）が（それが随意のパラメータであるが）すべてのベアラの設定中に含まれることを確認する。
【００８０】
本発明の一実施形態では、ＵＥのＮＲ能力は、ＵＥが中断されたとき、ネットワーク／ＵＥによって保存されるＵＥのコンテキストの一部である。
【００８１】
本発明の別の実施形態では、ＵＥが再開し、コンテキストが、ターゲットｅＮＢによってソースｅＮＢからフェッチされているとき、ソースｅＮＢは、（たとえば２つのｅＮＢ間でのコンテキストフェッチングのために使用されるＸ２メッセージ中で）明示的に、またはＵＥコンテキスト中で暗黙的にのいずれかで、ＵＥのＮＲ能力をターゲットｅＮＢに対して含めることができる。
【００８２】
一実施形態では、ＵＥのベアラのすべてについてＬＴＥ  ＰＤＣＰを使用するＵＥが、中断され、後で、異なるｅＮＢにおいて再開される場合、および、ターゲットｅＮＢが、ＮＲをサポートし、ターゲットｅＮＢが、ＵＥがＮＲをサポートすることを検出した場合、ターゲットｅＮＢは、中断の前にＵＥのベアラがＬＴＥ  ＰＤＣＰを使用していた場合でも、ターゲットｅＮＢがＵＥに送るＲＲＣ再開メッセージ中にＮＲ  ＰＤＣＰ設定を含めることができ、したがって、ベアラの一部または全部がＮＲ  ＰＤＣＰを用いて再開され得る。ＵＥがＲＲＣ被接続状態に復帰したときに設定または再開されるＮＲ  ＰＤＣＰパラメータは、シーケンス番号サイズ、ステータス報告設定、廃棄、または並べ替えタイマーを含み得る。
【００８３】
さらに、ＵＥは、ＲＲＣ被接続への復帰時に、ＬＴＥ無線またはＮＲ無線またはＬＴＥ無線とＮＲ無線の両方の上でＮＲ  ＰＤＣＰデータを送信するように設定され得る。ＵＥは、シグナリング無線ベアラ（たとえば、ＳＲＢ１、ＳＲＢ２）のためにＮＲ  ＰＤＣＰを使用するようにも設定され得る。シグナリング無線ベアラは、ＵＥがＬＴＥ無線またはＮＲ無線またはＬＴＥ無線とＮＲ無線の両方の上でシグナリングを送るかまたは受信することができるように、ＵＥにおいて設定され得る。
【００８４】
図９は、特定の実施形態による、無線デバイスにおける例示的な方法を示す流れ図である。特定の実施形態では、図９の１つまたは複数のステップは、図８に関して説明されたネットワーク１００の無線デバイス１１０によって実施され得る。
【００８５】
本方法は、ステップ９１２において始まり、無線デバイスが、第１のネットワークノードとのＲＲＣ接続を確立する。たとえば、無線デバイス１１０が、ネットワークノード１２０ａとのＲＲＣ接続を確立し得る。
【００８６】
ステップ９１４において、無線デバイスは、第１のネットワークノードとのＳＲＢ１  ＮＲ  ＰＤＣＰ接続を確立し得る。たとえば、無線デバイス１１０は、ＲＲＣシグナリングメッセージの転送のためにネットワークノード１２０とのＳＲＢ１  ＮＲ  ＰＤＣＰ接続を確立し得る。
【００８７】
ステップ９１６において、無線デバイスは、第１のネットワークノードから接続中断メッセージを受信する。たとえば、無線デバイス１１０は、ネットワークノード１２０ａからＲＲＣ中断メッセージを受信し得る。
【００８８】
ステップ９１７において、無線デバイスは、ＲＲＣ接続に関連する無線ベアラの設定を記憶する。無線デバイスは、ＮＲ  ＰＤＣＰベアラまたはＬＴＥベアラについての設定情報を記憶し得る。たとえば、無線デバイス１１０は、シーケンス番号情報、ステータス情報、セキュリティ情報など、ＮＲベアラ接続に関する情報を記憶し得る。無線デバイス１１０は、たとえば、ＵＥコンテキストの一部として、ローカルにまたはネットワークノードにおいて情報を記憶し得る。無線デバイス１１０は、上記で説明された実施形態または例のうちのいずれかに従って、情報を記憶し得る。
【００８９】
ステップ９１８において、無線デバイスは、ＲＲＣ接続に関連する無線ベアラを中断する。たとえば、無線デバイス１１０は、ＮＲまたはＬＴＥ  ＰＤＣＰ無線ベアラを中断し得る。
【００９０】
ステップ９２０において、無線デバイスは、ＳＲＢ１  ＮＲ  ＰＤＣＰ接続をＬＴＥ  ＰＤＣＰ接続に変換し得る。たとえば、無線デバイス１１０は、ステップ９１４において確立されたＳＲＢ１接続をＬＴＥ  ＰＤＣＰ接続に変換し得る。特定の利点は、中断されたベアラのいずれかが、ＮＲをサポートし得ない異なるネットワークノードにおいて再開された場合、無線デバイスは、ネットワークノードにＲＲＣ再開要求を送るためにＳＲＢ１のためにＬＴＥ  ＰＤＣＰ設定を使用し得ることである。
【００９１】
ステップ９２２において、無線デバイスは、第２のネットワークノードから接続再開メッセージを受信する。いくつかの実施形態では、第２のネットワークノードは、第１のネットワークノードと同じであり得る。他の実施形態では、第２のネットワークノードは、第１のネットワークノードとは異なり得る。一例として、無線デバイス１１０は、ネットワークノード１２０ａからＲＲＣ再開メッセージを受信し得る。別の例として、無線デバイス１１０は、ネットワークノード１２０ｂの範囲中に移り得、ネットワークノード１２０ｂからＲＲＣ再開メッセージを受信し得る。
【００９２】
ステップ９２４において、無線デバイスは、接続再開メッセージが中断された無線ベアラのためのＮＲ  ＰＤＣＰについての設定情報を含むかどうかを決定する。たとえば、無線デバイス１１０は、ＲＲＣ再開メッセージが、ＮＲ  ＰＤＣＰベアラを設定するための情報を含むと決定し得る。本方法は、ステップ９２５に続く。
【００９３】
ステップ９２５において、無線デバイスは、設定情報により、中断された無線ベアラを設定する。たとえば、無線デバイス１１０は、設定情報により、中断された無線ベアラを設定する。いくつかの実施形態では、無線デバイス１１０は、接続を設定するために、受信された設定と記憶された設定の組合せを使用し得る。
【００９４】
ステップ９２６において、無線デバイスは、中断された無線ベアラを再開する。たとえば、無線デバイス１１０は、前のステップからの設定に基づいて、ＮＲまたはＬＴＥ無線ベアラを再開し得る。無線デバイスは、上記で説明された実施形態または例のうちのいずれかに従って、無線ベアラを再開し得る。
【００９５】
図９の方法９００に対して修正、追加、または省略が行われ得る。さらに、図９の方法における１つまたは複数のステップは、並行してまたは任意の好適な順序で実施され得る。一例として、ステップ９１６は、いくつかの実施形態では、ステップ９１７または９１８の後に実施され得る。別の例として、ステップ９１７は、より早くまたは後に実施され得る。ステップは、必要に応じて経時的に繰り返され得る。
【００９６】
図１０は、特定の実施形態による、ネットワークノードにおける例示的な方法を示す流れ図である。特定の実施形態では、図１０の１つまたは複数のステップは、図８に関して説明されたネットワーク１００のネットワークノード１２０によって実施され得る。
【００９７】
本方法は、ステップ１０１２において始まり得、ネットワークノードが、ＵＥとのＳＲＢ１  ＮＲ  ＰＤＣＰ接続を確立する。たとえば、ネットワークノード１２０は、ＲＲＣシグナリングメッセージの転送のために無線デバイス１１０とのＳＲＢ１  ＮＲ  ＰＤＣＰ接続を確立し得る。
【００９８】
ステップ１０１４において、ネットワークノードは、ＵＥに接続中断メッセージを送り得る。たとえば、ネットワークノード１２０は、１つまたは複数の無線ベアラを中断するために無線デバイス１１０に接続中断メッセージを送り得る。
【００９９】
ステップ１０１６において、ネットワークノードは、ＮＲ  ＰＤＣＰからＬＴＥ  ＰＤＣＰにＳＲＢ１を再設定する接続再設定メッセージをＵＥから受信し得る。たとえば、ネットワークノード１２０は、無線デバイス１１０から接続再設定メッセージを受信し得る。無線デバイスは、たとえば、無線デバイスがＮＲ  ＰＤＣＰをサポートしない異なるネットワークノードとのＰＤＣＰベアラ接続を再開する場合、再設定メッセージを送り得る。
【０１００】
ステップ１０１８において、ネットワークノードは、ＵＥとともに、ＲＲＣ接続に関連する無線ベアラを再開することを決定する。たとえば、ネットワークノード１２０ｂは、無線ベアラを再開するために無線デバイス１１０からＲＲＣ再開要求を受信し得る。いくつかの実施形態では、ベアラ接続は、任意の好適なベアラ接続を含み得る。
【０１０１】
ステップ１０２０において、ネットワークノードは、ＵＥについての能力情報を受信し得る。たとえば、ネットワークノード１２０は、ＮＲ  ＰＤＣＰまたはＬＴＥ  ＰＤＣＰを使用して通信するための能力など、無線デバイス１１０の能力を示す能力情報を無線デバイス１１０から受信し得る。
【０１０２】
ステップ１０２２において、ネットワークノードは、能力情報に基づいて、ＵＥがＮＲ  ＰＤＣＰをサポートすることが可能であると決定する。たとえば、ネットワークノード１２０は、受信された能力情報に基づいて、無線デバイス１１０がＮＲ  ＰＤＣＰをサポートすることが可能であると決定し得る。
【０１０３】
いくつかの実施形態では、ネットワークノードは、別のネットワークノードからベアラ接続のためのＮＲ設定情報を受信し得る。たとえば、ネットワークノード１２０ｂは、無線デバイス１１０があらかじめ、ベアラが中断される前にネットワークノード１２０ａに接続された場合、ネットワークノード１２０ａから設定情報を受信し得る。ネットワークノードは、上記で説明された実施形態または例のうちのいずれかに従って、ＮＲ設定情報を受信し得る。
【０１０４】
ステップ１０２４において、ネットワークノードは、ＵＥに接続再開メッセージを送る。接続再開メッセージは、無線ベアラのためのＮＲ  ＰＤＣＰについての設定情報を含む。たとえば、ネットワークノード１２０ｂは、無線デバイス１１０にＲＲＣ再開メッセージを送り得る。設定情報は、ＮＲまたはＬＴＥ設定情報を含み得る。設定情報は、上記で説明された実施形態または例のうちのいずれかに従って、情報を含み得る。
【０１０５】
図１０の方法１０００に対して修正、追加、または省略が行われ得る。さらに、図１０の方法における１つまたは複数のステップは、並行してまたは任意の好適な順序で実施され得る。ステップは、必要に応じて経時的に繰り返され得る。
【０１０６】
図１１Ａは、無線デバイスの例示的な実施形態を示すブロック図である。無線デバイスは、図８に示されている無線デバイス１１０の一例である。特定の実施形態では、無線デバイスは、ＮＲベアラ接続を休止および再開することが可能である。
【０１０７】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、車両間デバイス、または無線通信を与えることができる任意の他のデバイスを含む。無線デバイスは、トランシーバ１３１０と、処理回路要素１３２０と、メモリ１３３０と、電源１３４０とを含む。いくつかの実施形態では、トランシーバ１３１０は、（たとえば、アンテナを介して）無線信号を無線ネットワークノード１２０に送信すること、および無線信号を無線ネットワークノード１２０から受信することを可能にし、処理回路要素１３２０は、無線デバイスによって与えられるものとして本明細書で説明される機能性の一部または全部を与えるための命令を実行し、メモリ１３３０は、処理回路要素１３２０によって実行される命令を記憶する。電源１３４０は、トランシーバ１３１０、処理回路要素１３２０、および／またはメモリ１３３０など、無線デバイス１１０の構成要素のうちの１つまたは複数に電力を供給する。
【０１０８】
処理回路要素１３２０は、無線デバイスの説明される機能の一部または全部を実施するために命令を実行し、データを操作するための、１つまたは複数の集積回路またはモジュールにおいて実装されたハードウェアとソフトウェアの任意の好適な組合せを含む。いくつかの実施形態では、処理回路要素１３２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路要素１３２０は、無線デバイス１１０の説明される機能の一部または全部を実施するように設定されたアナログおよび／またはデジタル回路要素を含み得る。たとえば、処理回路要素１３２０は、抵抗器、キャパシタ、インダクタ、トランジスタ、ダイオード、および／または任意の他の好適な回路構成要素を含み得る。
【０１０９】
メモリ１３３０は、概して、コンピュータ実行可能コードおよびデータを記憶するように動作可能である。メモリ１３３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１１０】
電源１３４０は、概して、無線デバイス１１０の構成要素に電力を供給するように動作可能である。電源１３４０は、リチウムイオン、リチウム空気、リチウムポリマー、ニッケルカドミウム、ニッケル金属水素化物、または無線デバイスに電力を供給するための任意の他の好適なタイプのバッテリーなど、任意の好適なタイプのバッテリーを含み得る。
【０１１１】
無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を与えることを担当する（図１１Ａに示されている構成要素以外の）追加の構成要素を含み得る。
【０１１２】
図１１Ｂは、無線デバイス１１０の例示的な構成要素を示すブロック図である。構成要素は、設定モジュール１３５０と、送信モジュール１３５２と、受信モジュール１３５４とを含み得る。
【０１１３】
設定モジュール１３５０は、無線デバイス１１０の設定機能を実施し得る。たとえば、設定モジュール１３５０は、上記で説明された例および実施形態のうちのいずれかに従って、ＲＲＣ接続を確立し、ＲＲＣ接続に関連する無線ベアラを中断し、接続再開メッセージが中断された無線ベアラのためのＮＲ  ＰＤＣＰについての設定情報を含むかどうかを決定し、設定情報により、中断された無線ベアラを設定し、中断された無線ベアラを再開し得る。いくつかの実施形態では、設定モジュール１３５０は、処理回路要素１３２０を含むか、または処理回路要素１３２０中に含まれ得る。特定の実施形態では、設定モジュール１３５０は、送信モジュール１３５２および受信モジュール１３５４と通信し得る。
【０１１４】
送信モジュール１３５２は、無線デバイス１１０の送信機能を実施し得る。たとえば、送信モジュール１３５２は、上記で説明された例および実施形態のうちのいずれかに従って、ネットワークノード１２０とともに無線ベアラを確立し、および／またはネットワークノード１２０に設定情報を送り得る。いくつかの実施形態では、送信モジュール１３５２は、処理回路要素１３２０を含むか、または処理回路要素１３２０中に含まれ得る。特定の実施形態では、送信モジュール１３５２は、スケジューリングモジュール１３５０および受信モジュール１３５４と通信し得る。
【０１１５】
受信モジュール１３５４は、無線デバイス１１０の受信機能を実施し得る。たとえば、受信モジュール１３５４は、上記で説明された例および実施形態のうちのいずれかに従って、ネットワークノード１２０から中断および再開メッセージを受信し得る。いくつかの実施形態では、受信モジュール１３５４は、処理回路要素１３２０を含むか、または処理回路要素１３２０中に含まれ得る。特定の実施形態では、送信モジュール１３５２は、スケジューリングモジュール１３５０および送信モジュール１３５２と通信し得る。
【０１１６】
図１２Ａは、ネットワークノードの例示的な実施形態を示すブロック図である。ネットワークノードは、図８に示されているネットワークノード１２０の一例である。特定の実施形態では、ネットワークノードは、ＮＲベアラ接続を休止および再開することが可能である。
【０１１７】
ネットワークノード１２０は、ｅノードＢ、ノードＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、あるいは他の無線アクセスノードであり得る。ネットワークノードは、少なくとも１つのトランシーバ１４１０と、少なくとも１つの処理回路要素１４２０と、少なくとも１つのメモリ１４３０と、少なくとも１つのネットワークインターフェース１４４０とを含む。トランシーバ１４１０は、（たとえば、アンテナを介して）無線信号を無線デバイス１１０などの無線デバイスに送信すること、および無線信号を無線デバイスから受信することを容易にし、処理回路要素１４２０は、ネットワークノード１２０によって与えられているものとして上記で説明された機能性の一部または全部を与えるための命令を実行し、メモリ１４３０は、処理回路要素１４２０によって実行される命令を記憶し、ネットワークインターフェース１４４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路要素１４２０およびメモリ１４３０は、上記の図１１Ａの処理回路要素１３２０およびメモリ１３３０に関して説明されたのと同じタイプのものであり得る。
【０１１８】
いくつかの実施形態では、ネットワークインターフェース１４４０は、処理回路要素１４２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース１４４０は、ネットワークを通して通信するために、適切なハードウェア（たとえば、ポート、モデム、ネットワークインターフェースカードなど）と、プロトコル変換能力およびデータ処理能力を含むソフトウェアとを含む。
【０１１９】
図１１Ｂは、ネットワークノード１２０の例示的な構成要素を示すブロック図である。構成要素は、設定モジュール１４５０と、送信モジュール１４５２と、受信モジュール１４５４とを含み得る。
【０１２０】
設定モジュール１４５０は、ネットワークノード１２０の設定機能を実施し得る。たとえば、設定モジュール１４５０は、上記で説明された例および実施形態のうちのいずれかに従って、無線ベアラを再開することを決定し、および／または無線ベアラを設定し得る。いくつかの実施形態では、設定モジュール１４５０は、処理回路要素１４２０を含むか、または処理回路要素１４２０中に含まれ得る。特定の実施形態では、設定モジュール１４５０は、送信モジュール１４５２および受信モジュール１４５４と通信し得る。
【０１２１】
送信モジュール１４５２は、ネットワークノード１２０の送信機能を実施し得る。たとえば、送信モジュール１４５２は、上記で説明された例および実施形態のうちのいずれかに従って、別のネットワークノードに無線ベアラ設定情報を送り、および／または無線デバイスに再開メッセージを送り得る。いくつかの実施形態では、送信モジュール１４５２は、処理回路要素１４２０を含むか、または処理回路要素１４２０中に含まれ得る。特定の実施形態では、送信モジュール１４５２は、設定モジュール１４５０および受信モジュール１４５４と通信し得る。
【０１２２】
受信モジュール１４５４は、ネットワークノード１２０の受信機能を実施し得る。たとえば、受信モジュール１４５４は、上記で説明された例および実施形態のうちのいずれかに従って、別のネットワークノードまたは無線デバイスから無線ベアラ設定情報を受信し得る。いくつかの実施形態では、受信モジュール１４５４は、処理回路要素１４２０を含むか、または処理回路要素１４２０中に含まれ得る。特定の実施形態では、送信モジュール１４５２は、設定モジュール１４５０および送信モジュール１４５２と通信し得る。
【０１２３】
本発明の範囲から逸脱することなく、本明細書で開示されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各メンバーまたはセットのサブセットの各メンバーを指す。
【０１２４】
本発明の範囲から逸脱することなく、本明細書で開示される方法に対して修正、追加、または省略が行われ得る。本方法は、より多数の、より少数の、または他のステップを含み得る。さらに、ステップは、任意の好適な順序で実施され得る。
【０１２５】
本開示はいくつかの実施形態に関して説明されたが、実施形態の改変および置換は当業者に明らかである。したがって、実施形態の上記の説明は、本開示を制約しない。他の変更、置換、および改変が、以下の特許請求の範囲によって規定される、本開示の趣旨および範囲から逸脱することなく可能である。
【０１２６】
上記の説明で使用される略語は、以下を含む。
３ＧＰＰ    第３世代パートナーシッププロジェクト
５Ｇ    第５世代
ＢＢＵ    ベースバンドユニット
ＢＴＳ    基地トランシーバ局
ＣＣ    コンポーネントキャリア
Ｄ２Ｄ    デバイスツーデバイス
ＤＣ    デュアルコネクティビティ
ｅＭＢＢ    拡張モバイルブロードバンド
ｅＮＢ    ｅノードＢ
ＥＰＣ    エボルブドパケットコア
ＥＰＳ    エボルブドパケットシステム
ＦＤＤ    周波数分割複信
ＦＦＴ    高速フーリエ変換
ｇＮＢ    次世代ノードＢ
ＬＡＡ    ライセンス支援型アクセス
ＬＢＴ    リッスンビフォアトーク
ＬＴＥ    Ｌｏｎｇ  Ｔｅｒｍ  Ｅｖｏｌｕｔｉｏｎ
ＬＴＥ−Ｕ    未ライセンススペクトルにおけるＬＴＥ
ＭｅＮＢ    マスタｅＮＢ
Ｍ２Ｍ    マシンツーマシン
ＭＣＧ    マスタセルグループ
ＭＩＢ    マスタ情報ブロック
ＭＩＭＯ    多入力多出力
ＭＴＣ    マシン型通信
ＮＡＳ    非アクセス層
ＮＲ    新しい無線
ＯＦＤＭ    直交周波数分割多重
ＰＣＭ    パリティチェック行列
ＰＤＣＰ    パケットデータコンバージェンスプロトコル
ＰＲＢ    物理リソースブロック
ＱｏＳ    サービス品質
ＲＡＮ    無線アクセスネットワーク
ＲＡＴ    無線アクセス技術
ＲＢＳ    無線基地局
ＲＮＣ    無線ネットワークコントローラ
ＲＲＣ    無線リソース制御
ＲＲＨ    リモート無線ヘッド
ＲＲＵ    リモートラジオユニット
ＳＡＥ    システムアーキテクチャエボリューション
ＳＣｅｌｌ    セカンダリセル
ＳＣＧ    セカンダリセルグループ
ＳｅＮＢ    セカンダリｅＮＢ
ＳＩ    システム情報
ＳＩＢ    システム情報ブロック
ＳＲＢ    シグナリング無線ベアラ
ＴＤＤ    時分割複信
ＴＮＬ    トランスポートネットワークレイヤ
ＵＥ    ユーザ機器
ＵＬ    アップリンク
ＵＴＲＡＮ    ユニバーサル地上無線アクセスネットワーク
ＷＡＮ    無線アクセスネットワーク
【図１】
2020535706.tif 000006
【図２】
2020535706.tif 000007
【図３】
2020535706.tif 000008
【図４】
2020535706.tif 000009
【図５】
2020535706.tif 000010
【図６】
2020535706.tif 000011
【図７】
2020535706.tif 000012
【図８】
2020535706.tif 000013
【図９】
2020535706.tif 000014
【図１０】
2020535706.tif 000015
【図１１Ａ】
2020535706.tif 000016
【図１１Ｂ】
2020535706.tif 000017
【図１２Ａ】
2020535706.tif 000018
【図１２Ｂ】
2020535706.tif 000019
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
無線通信ネットワークにおける無線ベアラを再開する、ユーザ機器（ＵＥ）において使用するための方法であって、前記方法は、
第１のネットワークノードとの無線リソース制御（ＲＲＣ）接続を確立すること（９１２）と、
前記第１のネットワークノードから接続中断メッセージを受信すること（９１６）と、
前記ＲＲＣ接続に関連する無線ベアラの設定を記憶すること（９１７）と、
前記ＲＲＣ接続に関連する前記無線ベアラを中断すること（９１８）と、
接続再開メッセージを受信すること（９２２）と、
前記接続再開メッセージが前記中断された無線ベアラのためのＮＲパケットデータコンバージェンスプロトコル（ＰＤＣＰ）についての設定情報を含むかどうかを決定すること（９２４）と、
前記接続再開メッセージがＮＲ  ＰＤＣＰについての設定情報を含むと決定すると、前記設定情報により、前記中断された無線ベアラを設定すること（９２５）と、
前記中断された無線ベアラを再開すること（９２６）と
を含む、方法。
【請求項２】
無線通信ネットワークにおける無線ベアラを再開することが可能なユーザ機器（ＵＥ）（１１０）であって、前記ＵＥは、
第１のネットワークノード（１２０）との無線リソース制御（ＲＲＣ）接続を確立することと、
前記第１のネットワークノードから接続中断メッセージを受信することと、
前記ＲＲＣ接続に関連する無線ベアラの設定を記憶することと、
前記ＲＲＣ接続に関連する前記無線ベアラを中断することと、
接続再開メッセージを受信することと、
前記接続再開メッセージが前記中断された無線ベアラのためのＮＲパケットデータコンバージェンスプロトコル（ＰＤＣＰ）についての設定情報を含むかどうかを決定することと、
前記接続再開メッセージがＮＲ  ＰＤＣＰについての設定情報を含むと決定すると、前記設定情報により、前記中断された無線ベアラを設定することと、
前記中断された無線ベアラを再開することと
を行うように動作可能な処理回路要素（１３２０）を備える、ユーザ機器（ＵＥ）（１１０）。
【請求項３】
前記確立されたＲＲＣ接続が、ＮＲ  ＰＤＣＰベアラを含む、請求項２に記載のユーザ機器。
【請求項４】
前記確立されたＲＲＣ接続が、ｌｏｎｇ  ｔｅｒｍ  ｅｖｏｌｕｔｉｏｎ（ＬＴＥ）ＰＤＣＰベアラを含む、請求項２に記載のユーザ機器。
【請求項５】
前記接続再開メッセージが、前記第１のネットワークノードとは異なる第２のネットワークノードから受信される、請求項２から４のいずれか一項に記載のユーザ機器。
【請求項６】
前記処理回路要素が、前記接続再開メッセージ中の前記設定情報と、記憶された設定情報とを使用することによって、前記中断された無線ベアラを設定するように動作可能である、請求項２から５のいずれか一項に記載のユーザ機器。
【請求項７】
前記接続再開メッセージ中の前記設定情報が、前記記憶された設定情報よりも優先する、請求項６に記載のユーザ機器。
【請求項８】
前記接続再開メッセージ中の前記設定情報が、前記無線ベアラの中断より前に使用されたセキュリティ情報とは異なるセキュリティ情報を含む、請求項２から７のいずれか一項に記載のユーザ機器。
【請求項９】
前記セキュリティ情報が、セキュリティ鍵情報またはセキュリティアルゴリズム情報を含む、請求項８に記載のユーザ機器。
【請求項１０】
前記処理回路要素は、前記接続再開メッセージが前記中断された無線ベアラのためのＮＲ  ＰＤＣＰについての設定情報を含まないと決定すると、前記中断された無線ベアラをｌｏｎｇ  ｔｅｒｍ  ｅｖｏｌｕｔｉｏｎ（ＬＴＥ）ＰＤＣＰベアラとして再開するようにさらに動作可能である、請求項２から９のいずれか一項に記載のユーザ機器。
【請求項１１】
前記処理回路要素は、
前記第１のネットワークノードとのシグナリング無線ベアラ１（ＳＲＢ１）ＮＲ  ＰＤＣＰ接続を確立することと、
前記接続中断メッセージを受信すると、前記ＳＲＢ１接続をｌｏｎｇ  ｔｅｒｍ  ｅｖｏｌｕｔｉｏｎ（ＬＴＥ）ＰＤＣＰ接続に変換することと
を行うようにさらに動作可能であり、
前記処理回路要素が、前記ＳＲＢ１接続上で前記接続再開メッセージを受信するように動作可能である、
請求項２から１０のいずれか一項に記載のユーザ機器。
【請求項１２】
無線通信ネットワークにおける無線ベアラを再開する、ネットワークノードにおいて使用するための方法であって、前記方法は、
ユーザ機器（ＵＥ）とともに、無線リソース制御（ＲＲＣ）接続に関連する無線ベアラを再開することを決定すること（１０１８）と、
前記ユーザ機器に接続再開メッセージを送ること（１０２４）であって、前記接続再開メッセージが前記無線ベアラのためのＮＲパケットデータコンバージェンスプロトコル（ＰＤＣＰ）についての設定情報を含む、接続再開メッセージを送ること（１０２４）と
を含む、方法。
【請求項１３】
無線通信ネットワークにおける無線ベアラを再開することが可能なネットワークノード（１２０）であって、前記ネットワークノードは、
ユーザ機器（ＵＥ）（１１０）とともに、無線リソース制御（ＲＲＣ）接続に関連する無線ベアラを再開することを決定することと、
前記ユーザ機器に接続再開メッセージを送ることであって、前記接続再開メッセージが前記無線ベアラのためのＮＲパケットデータコンバージェンスプロトコル（ＰＤＣＰ）についての設定情報を含む、接続再開メッセージを送ることと
を行うように動作可能な処理回路要素（１４２０）を備える、ネットワークノード（１２０）。
【請求項１４】
再開すべき前記無線ベアラについての設定情報が、ＮＲ  ＰＤＣＰ設定情報をあらかじめ含んでいる、請求項１３に記載のネットワークノード。
【請求項１５】
再開すべき前記無線ベアラについての設定情報が、ｌｏｎｇ  ｔｅｒｍ  ｅｖｏｌｕｔｉｏｎ（ＬＴＥ）設定情報をあらかじめ含んでいる、請求項１３に記載のネットワークノード。
【請求項１６】
前記処理回路要素は、
前記ＵＥについての能力情報を受信することと、
前記能力情報に基づいて、前記ＵＥがＮＲ  ＰＤＣＰをサポートすることが可能であると決定することと
を行うようにさらに動作可能である、請求項１５に記載のネットワークノード。
【請求項１７】
前記処理回路要素が、
前記ＵＥとのシグナリング無線ベアラ１（ＳＲＢ１）ＮＲ  ＰＤＣＰ接続を確立することと、
前記ＵＥに接続中断メッセージを送ることと、
ＮＲ  ＰＤＣＰからｌｏｎｇ  ｔｅｒｍ  ｅｖｏｌｕｔｉｏｎ（ＬＴＥ）ＰＤＣＰに前記ＳＲＢ１を再設定する接続再設定メッセージを前記ＵＥから受信することと
を行うようにさらに動作可能である、請求項１３から１６のいずれか一項に記載のネットワークノード。
【国際調査報告】
2020535706.tif 000020
2020535706.tif 000021
2020535706.tif 000022